(57)【要約】【課題】  墓用石材には、御影石のような高級石材が使用されるが、一体物の大型石材は希少であり且つ高価である。又、従来から、４つの分割石板を四角箱型に組付けた墓用石材も使用されているが、この場合、一体型石材の側面に分割石板の継ぎ目が現れ、高級感が失墜する。【解決手段】  厚板状の石製で正面板と背面板と左側面板と右側面板を１組とする４つの分割石板（例えば２１〜２４）を使用し、各分割石板の左右各側面をそれぞれ外表面に対して角度４５°の傾斜面とする一方、各分割石板の各傾斜面同士を接着剤で接着させて４つの分割石板を四角箱型に組付けていることにより、安価で且つ安定供給できるとともに、分割石板の継ぎ目が石材外周面の角部に位置するので目立たない。【選択図】      図２
2006342624.tif 000002
【特許請求の範囲】
【請求項１】
それぞれ厚板状の石製で正面板と背面板と左側面板と右側面板を１組とする４つの分割石板を使用し、前記各分割石板の左右各側面をそれぞれ外表面に対して角度４５°の傾斜面とする一方、前記各分割石板の各傾斜面同士を接着剤で接着させて４つの分割石板を四角箱型に組付けていることを特徴とする分割石板を使用した墓用石材。
【請求項２】
請求項１において、各分割石板の接着面となる各傾斜面の表面平均粗さが０.３〜０.８μｍであることを特徴とする分割石板を使用した墓用石材。
【請求項３】
それぞれ厚板状の石製で正面板と背面板と左側面板と右側面板を１組とする４つの分割石板を使用し、前記各分割石板のそれぞれ左右各側面を外表面に対して角度４５°の傾斜面とする傾斜面加工工程と、前記各傾斜面の表面平均粗さを０.３〜０.８μｍまで研削する傾斜面研削工程と、各分割石板の各傾斜面同士を接着剤で接着させて四角箱型に組付ける組付け工程とを行うことを特徴とする分割石板を使用した墓用石材の一体化方法。
【発明の詳細な説明】
【技術分野】
【０００１】
本願発明は、竿石や台石（上台や中台）等の比較的大きな体積の墓石として使用される墓用石材及びその一体化方法に関するものである。
【背景技術】
【０００２】
図６には、日本式の一般的な墓を示しているが、この図６の墓は、それぞれ石製で、下から順に下台（芝台）１、中台２、上台３、竿石４を積み重ねているとともに、中台２の正面に花立５，５や水鉢６を設置して構成されている。
【０００３】
墓石には、硬くて石の目（模様）の細かい高級石材（御影石）が使用され、且つ台石（中台２、上台３等）や竿石４には単一原石から所定形状に加工したものが高級品として重宝されている。
【０００４】
ところで、墓石として利用できる高級原石は、採石される石材の中でも数パーセントしかなく、しかも墓石として利用できる大きな体積の原石は希少価値があって高価である。又、墓石では、石の目（模様）が品質優劣の重要な要素になり、所定形状に加工した状態で、外表面に異質模様（例えばシミや雲母の露出等）があるものは墓石として使用できないものとなる。この場合（外表面の模様が悪いもの）は、墓石用に加工したものでも、他の用途に使用したり、あるいは一回り小さい墓石として再加工される。
【０００５】
このように、単一原石から一体物（継ぎ目なし）の墓石（中台２，上台３、竿石４等）を製作する場合は、高級石材の入手難と墓石としての歩留まり悪さから、非常に高価になっているのが現状である。
【０００６】
他方、従来から、図７〜図８に示すように中台２や上台３等の墓石として、厚板状の４つの分割石板２１〜２４（又は３１〜３４）を四角箱型に組付けて製作したものがある。即ち、この中台２や上台３は、それぞれ厚板状石製で平面視長方形の、正面板２１（又は３１）と背面板２２（又は３２）と左側面板２３（又は３３）と右側面板２４（又は３４）の４つの分割石板を使用している。尚、図８及び図９において、符号２５は中台２の正面板２１に形成した納骨用の開口であるが、墓石（中台２）の下に別の納骨用石室を設けた大型の墓では、中台２に納骨用開口２５は不要である。
【０００７】
そして、図９に示す中台２で説明すると、左右の各側面板２３，２４の前側各小口面２３ａ，２４ａを正面板２１の左右各端部の後面にそれぞれ接着剤で接着させる一方、左右の各側面板２３，２４の後側各小口面２３ｂ，２４ｂを背面板２２の左右各端部の前面にそれぞれ接着剤で接着させることによって、図８に示すように平面視正方形の箱型に組付けている。このとき、左側面板２３の外表面２３ｃは、正面板２１の左小口面２１ａ及び背面板２２の左小口面２２ａとそれぞれ面一状（段差なし）に連続させているとともに、右側面板２４の外表面２４ｃも、正面板２１の右小口面２１ｂ及び背面板２２の右小口面２２ｂとそれぞれ面一状（段差なし）に連続させている。
【０００８】
このように、中台２（又は上台３）について、４つの分割石板２１〜２４（又は３１〜３４）を四角箱型に組付けて構成したものでは、墓石全体の大きさを小さくすることなく、安価で量産可能な小形石材を使用できる。
【０００９】
ところで、この種の墓石用の石材加工は、石材を切断する切断加工と、石材表面を鏡面状に研磨する研磨加工とが行われている。そして、切断加工後の切断面の表面粗さＲａは５〜２０（単位μｍ）程度であり、研磨加工後の研磨面（鏡面状態となる）の表面粗さは０μｍに近いものである。
【００１０】
他方、２つの石材の接合面を接着剤で接着させる際に、各接着面を研磨により鏡面加工化し過ぎる（表面粗さが０に近ずく）と、両接着面に対する接着剤の結着機能が乏しくなって接着強度が弱くなり、逆に該接着面の表面粗さが粗くなると、両接着面間の隙間が大きくなるという特性がある。
【発明の開示】
【発明が解決しようとする課題】
【００１１】
ところで、図７〜図９に示す従来の分割石板２１〜２４（又は３１〜３４）を使用した墓石（中台２又は上台３）では、小形石材を使用できることから、安価で且つ材料の入手が比較的容易であるという利点があるものの、次のような問題を有している。
【００１２】
(1) 中台２（又は上台３）の分割石板２１〜２４（又は３１〜３４）として平面視長方形の石板を使用し、左右の各側面板２３，２４（又は（３３，３４）の各小口面をそれぞれ正面板２１（又は３１）の後面及び背面板２２（又は３２）の前面に突き当てて接着させているので、組付けられた中台２（又は上台３）の左右各側面にそれぞれ両石材の継ぎ目２６，２６（又は３６，３６）が現れる。従って、中台２（又は上台３）が継ぎ石であることが判別でき、高級感が失墜する（安っぽく見える）。
【００１３】
(2) 各分割石板２１〜２４（又は３１〜３４）の接合面は接着剤で接着されるが、この各側の接合面の表面粗さ（Ｒａ）はそれぞれ通常５〜２０μｍ程度であるので、両接合面間の隙間がかなり大きくなって、その継ぎ目線２６（又は３６）が一層目立つようになる。
【００１４】
(3) 中台２（又は上台３）の左右各側面で分割石板２１〜２４（又は３１〜３４）を接合させたものでは、石材の石目模様の連続性が途切れて、見映えが悪くなる（この場合も、高級感が失われる）。特に、分割石板２１〜２４（又は３１〜３４）を別の原石から製作したものでは、各石板の石目模様が異なるので、継ぎ目の左右の色調（模様）が一層明確に判別できるようになる。
【００１５】
本願発明は、上記した従来の問題点に鑑み、分割石板を使用した墓用石材であっても、石材側面に継ぎ目線が出ないようにすることを目的としている。
【課題を解決するための手段】
【００１６】
本願発明は、上記課題を解決するための手段として次の構成を有している。
【００１７】
本願請求項１の発明
本願請求項１の発明は、分割石板を使用した墓用石材を対象にしている。尚、日本式の一般的な墓は、それぞれ石製で、下から順に下台（芝台）、中台、上台、竿石を積み重ねているとともに、中台の正面に花立や水鉢を設置して構成されている。そして、本願の墓用石材は、中台や上台や竿石等として使用される比較的体積の大きい石材に適用される。尚、墓の中台や上台や竿石等は、平面視が正方形である。
【００１８】
本願請求項１の墓用石材は、それぞれ厚板状の石製で正面板と背面板と左側面板と右側面板を１組とする４つの分割石板を使用している。各分割石板は、外表面が目的とする墓用石材（中台、上台、竿石等）の一側面と同面積を有しているとともに、所定厚さのものが使用される。
【００１９】
各分割石板の左右各側面は、それぞれ外表面に対して角度４５°の傾斜面となっている。従って、各分割石板は、平面視において左右各側辺が角度４５°で傾斜する等脚台形の形状となる。
【００２０】
そして、本願請求項１の墓用石材は、各分割石板の各傾斜面（それぞれ角度４５°で傾斜している）同士を接着剤で接着させて４つの分割石板を四角箱型に組付けて構成している。
【００２１】
このように、４つの分割石板を合体させた墓用石材では、外形が必要とする所望の大きさとなっているが、各分割石板の１個当たりの体積が小さいので、小さい原石からでも分割石板を切り取ることができる。又、この墓用石材では、内部が中空であるので、全体の材料を少なくできるとともに、軽量になるので運搬時・施工時等の作業がし易くなる。
【００２２】
又、本願の墓用石材のように、各分割石板の傾斜面同士を接着させると、それぞれ２つの分割石板の接合部（継ぎ目）は四角箱型に組付けられた石材外周部の各角部に現れる。このように、石材外周部の角部に現出する継ぎ目は、外観上ほとんど識別できないほどのもので、この墓用石材が一体物の石材であるかのように見える。又、この墓用石材では、外周４面はそれぞれ継ぎ目のない１枚ものになっており、石目模様が各面の全面に亘って連続している。
【００２３】
尚、本願の墓用石材は、墓の中台、上台、竿石のいずれか１つのみに使用してもよいし、それらの２つ又は全部に使用してもよい。
【００２４】
本願請求項２の発明
本願請求項２の発明は、上記請求項１の墓用石材において、各分割石板の接着面となる各傾斜面の表面平均粗さを０.３〜０.８μｍに設定している。
【００２５】
このように、各分割石板の各傾斜面（接着面）の表面平均粗さを０.３〜０.８μｍ程度の細かい粗さに設定すると、各側の傾斜面を接着させたときの接着剤結着機能を確保しつつ、両接着面間の隙間を非常に小さく（薄く）できる。即ち、接着剤が各傾斜面のごく僅かな凹凸面に食い込むことにより、該接着剤が傾斜面から剥離しにくくなって接着剤結着機能を確保できるとともに、接合面の凹凸が小さいほど両傾斜面を接合させたときの隙間が小さくなる。
【００２６】
本願請求項３の発明
本願請求項３の発明は、上記請求項２の墓用石材の一体化方法を対象にしている。
【００２７】
この請求項３の墓用石材の一体化方法では、それぞれ厚板状の石製で正面板と背面板と左側面板と右側面板を１組とする４つの分割石板を使用し、各分割石板のそれぞれ左右各側面を外表面に対して角度４５°の傾斜面とする傾斜面加工工程と、各傾斜面の表面平均粗さを０.３〜０.８μｍまで研削する傾斜面研削工程と、各分割石板の各傾斜面同士を接着剤で接着させて四角箱型に組付ける組付け工程とを行うことを特徴としている。
【００２８】
各分割石板の左右各側面に対する傾斜面加工工程は、切断機を使用して行う。従って、この傾斜面加工工程で形成された傾斜面の表面粗さ（Ｒａ）は、５〜２０μｍ程度のかなり粗いものである。
【００２９】
次に、傾斜面研削工程において、表面粗さの粗い傾斜面を研削機で表面粗さ（Ｒａ）が０.３〜０.８μｍになるまで研削するが、従来ではこの研削工程は行われていない。尚、表面粗さ（Ｒａ）が０.３〜０.８μｍの状態は、鏡面ほどではないが、平滑度がかなり高い状態である。
【００３０】
そして、組付け工程において、平滑度の高い傾斜面同士を接着剤で接着させるが、平滑度の高い傾斜面同士では、両接着面間の隙間が非常に小さくなる。他方、各傾斜面は、平滑度がかなり高いものの鏡面ではないので、接着剤を介在させたときの接着剤結着機能は確保できる。
【００３１】
尚、各分割石板を接着剤で接着させる際には、各分割石板を四角箱型に組付けた状態で、その外周をネジジャッキ等により均等に加圧するとよい。
【発明の効果】
【００３２】
本願請求項１の発明の効果
本願請求項１の墓用石材には、次のような効果がある。
【００３３】
まず、４つの分割石板を四角箱型に組付けて一体型の墓用石材としているので、各分割石板は１個当たりの体積が小さくなる。従って、材料コストが大幅に安価になるとともに、分割石板を小体積の原石からでも製作できるので、材料の入手が容易になり、所望大きさの墓用石材を安定供給できるという効果がある。
【００３４】
又、各分割石板の左右各側面をそれぞれ外表面に対して角度４５°の傾斜面とし、各分割石板の各傾斜面同士を接着剤で接着させて四角箱型に組付けているので、それぞれ２つの分割石板の接合部（継ぎ目）は石材外周部の各角部に現れる（石材外周部の角部に現れる継ぎ目は外観上さほど目立たない）。従って、分割石板を使用した墓用石材であっても、一体物の石材であるかのように見え、高級感のある石材となるという効果がある。
【００３５】
さらに、墓用石材の外周４面はそれぞれ継ぎ目のない１枚ものになっているので、石目模様が各面（４面）のそれぞれ全面に亘って連続しており、分割石板を使用したものであっても石材外周面の見映えが悪くならない（一体物の石材と同様の高級感がでる）という効果もある。
【００３６】
本願請求項２の発明の効果
本願請求項２の発明では、請求項１の墓用石材において、各分割石板の接着面となる各傾斜面の表面平均粗さを０.３〜０.８μｍに設定しているが、このように、各分割石板の各傾斜面（接着面）の表面平均粗さを０.３〜０.８μｍ程度の細かい粗さに設定すると、各側の傾斜面を接着させたときの接着剤結着機能を確保しつつ、両接着面間の隙間を小さく（薄く）できる。
【００３７】
従って、この請求項２の墓用石材では、上記請求項１の効果に加えて、各分割石板の継ぎ目が一層見えにくくなり、分割石板を使用した墓用石材であっても一体物の石材のような高級感がでるという効果がある。
【００３８】
本願請求項３の発明の効果
本願請求項３の墓用石材一体化方法では、各分割石板の左右各側面を角度４５°の傾斜面とする傾斜面加工工程と、各傾斜面の表面平均粗さを０.３〜０.８μｍまで研削する傾斜面研削工程と、各分割石板の各傾斜面同士を接着剤で接着させて四角箱型に組付ける組付け工程とを行って、墓用石材を一体化させるようにしている。
【００３９】
このように、請求項３の発明の墓用石材一体化方法では、石材加工において従来行っていなかった研削加工により、接着面となる傾斜面の表面平均粗さを０.３〜０.８μｍまで研削するので、各分割石板同士の接着強度を確保しつつ、両接着面間の隙間を小さくできる（高級感がでる）という効果がある。尚、この請求項３の一体化方法で製作された墓用石材には、上記請求項１の効果もある。
【実施例】
【００４０】
図１〜図５を参照して本願の実施例を説明すると、図１には本願実施例の墓用石材を使用した墓の全体図を示し、図２には図１の墓の分解図を示し、図３には図２の中台２部分の各分割石板２１〜２４の一体化前の分解図を示し、図４には図１の墓の縦断面図を示している。
【００４１】
図１の墓は、日本式の一般的な構成のものであり、下から下台（芝石）１、中台２、上台３、竿石４を積み重ねているとともに、中台２の前面に花立５，５と水鉢６とを設置して構成されている。これらの石材（１〜６）には、それぞれ御影石からなる高級石材が使用されている。
【００４２】
下台１は、図２及び図４に示すように、４つの細長い石材を四角枠状に組付けて形成されている。この下台１の内部には、納骨室９（図４）に連続する正方形の穴１０が形成されている。尚、下台１の穴１０の一辺の長さは、後述する中台２の一辺長さ（約７０cm）よりやや短い（約６０cm）長さとなっている。
【００４３】
中台２、上台３及び竿石４は、それぞれかなりの大きさを有している。例えば、中台２の大きさは、左右幅及び奥行き幅がそれぞれ約７０cm、高さが約３７cm程度のものが一般的であり、上台３の大きさは、左右幅及び奥行き幅がそれぞれ約４９cm、高さが約３４cm程度のものが一般的であり、竿石４の大きさは、左右幅及び奥行き幅がそれぞれ約３０cm、高さが約８０cm程度のものが一般的である。このように、大きな墓用石材（中台２、上台３、竿石４）を一体物で製作しようとすると、大塊状の原石が希少になっている関係で安定入手が困難であるとともに、材料コストが高価になる。
【００４４】
そこで、本願実施例では、図２に示すように、中台２と上台３と竿石４として、それぞれ４つの分割石板を一体化させたものを使用している。
【００４５】
中台２は、それぞれ横長長方形の正面板２１、背面板２２、左側面板２３、右側面板２４からなる４つの分割石板を使用している。尚、この実施例では、中台２の正面板２１に納骨用の開口２５を形成しているが、墓石（中台２）の下に別の納骨用石室を設けた大型の墓では、中台２に納骨用開口２５は不要である。
【００４６】
上台３は中台２よりやや小さいが、この上台３も、それぞれ横長長方形の正面板３１、背面板３２、左側面板３３、右側面板３４からなる４つの分割石板を使用している。
【００４７】
竿石４は、それぞれ縦長の正面板４１、背面板４２、左側面板４３、右側面板４４からなる４つの分割石板を使用している。尚、この竿石４には、一体化させた分割石板４１〜４４の上面に１枚物の上板４５を接着剤で接着させている。
【００４８】
中台２、上台３、竿石４に使用している各分割石板の厚さは、成形される墓用石材の大きさにもよるが、例えば１０〜２０cm程度が適当である。
【００４９】
中台２の各分割石板（２１〜２４）、上台３の各分割石板（３１〜３４）、竿石４の各分割石板（４１〜４４）は、平面視においてそれぞれ左右各側面が外表面に対して角度４５°の傾斜面となる等脚台形に成形されている。
【００５０】
即ち、図３に示す中台２を代表例として説明すると、各分割石板（２１〜２４）の左右各側面（２１ａ，２１ｂ、２２ａ，２２ｂ、２３ａ，２３ｂ、２４ａ，２４ｂ）を外表面（２１ｃ、２２ｃ、２３ｃ、２４ｃ）に対してそれぞれ角度４５°（符号ａ）の傾斜面としている。この各傾斜面は、平面視長方形の分割石板からその両側面を切断機でそれぞれ三角形状に切り落として形成される。
【００５１】
そして、この各分割石板（図３では２１〜２４）は、左右の傾斜面同士（図３では２１ａと２３ｂ、２３ａと２２ｂ、２２ａと２４ｂ、２４ａと２１ｂ）をそれぞれ接着剤で接着させて、図２に示す四角箱型の墓用石材に一体化させるが、切断機で切断しただけの端面は、その表面平均粗さ（Ｒａ）が５〜２０単位μｍ程度でかなり粗い面となっている。そして、このまま（粗い面のまま）の端面同士を接着剤で接着させると、その両接着面間の隙間が大きく（広く）なって、継ぎ目が目立つようになる。
【００５２】
そこで、本願では、各分割石板（図３では２１〜２４）の左右各側面（傾斜面）をそれぞれ研削機により、表面平均粗さ（Ｒａ）が０.３〜０.８μｍになるまで研削する。この研削加工による表面平均粗さ０.３〜０.８は、研磨による鏡面状の平滑度ではないが、かなり高度の細かさになっている。尚、図３では、研削加工面（表面平均粗さ０.３〜０.８）を他の面と識別するために梨地模様で表示している。
【００５３】
各分割石板（２１〜２４、３１〜３４、４１〜４４）の外表面及び上面（竿石４用の分割石板４１〜４４を除く）は、それぞれ研磨機により鏡面状に研磨加工が施される。
【００５４】
そして、４つ１組の分割石板（例えば２１〜２４）は、接着面となる各傾斜面（２１ａ〜２４ａ、２１ｂ〜２４ｂ）の表面平均粗さを０.３〜０.８に加工した状態で、各側の傾斜面同士を接着剤で接着して、四角箱型に組付ける。このとき、図５に示すように、各分割石板（２１〜２４）を精密定盤７上で四角箱型に合体させ、その合体石材（図５では中台２）の外周を複数のネジジャッキ８，８・・で強力に締め付けた状態で、両傾斜面間の接着剤を固化させる。
【００５５】
この実施例では、上台３及び竿石４もそれぞれ４つの分割石板（３１〜３４、４１〜４４）を使用しているが、これらの分割石板（３１〜３４、４１〜４４）も上記中台２の場合と同様に、各傾斜面の研削加工（表面平均粗さを０.３〜０.８μｍにする）を行った後、両傾斜面を接着剤で接着させて、それぞれ四角箱型に一体化させる。尚、竿石４は、各分割石板（４１〜４４）からなる四角箱型の本体の上面に上板４５を接着させて完成させる。
【００５６】
中台２、上台３及び竿石４の各内部には、図２及び図４に示すように、それぞれ四角形（正方形）の穴２０，３０，４０が上下に貫通状態で形成されている。
【００５７】
中台２の各分割石板２１〜２４の下面、上台３の各分割石板３１〜３４の下面、竿石４の各分割石板４１〜４４の下面には、それぞれ小高さ（例えば５〜１０mm程度）の下向き突出部２７，３７，４７が一体形成されている。この各下向き突出部２７，３７，４７は、それぞれ４つの分割石板（２１〜２４、３１〜３４、４１〜４４）を四角箱型に合体させて中台２、上台３、竿石４を構成したときに、それぞれ４つの下向き突出部２７，２７・・（３７，３７・・、４７，４７・・）も正方形に合体するようになっている。又、中台２下面の各下向き突出部２７，２７・・は下台１の穴１０の内周４面にそれぞれ内接する大きさであり、上台３面の各下向き突出部３７，３７・・は中台２の穴２０の内周４面にそれぞれ内接する大きさであり、竿石４下面の各下向き突出部４７，４７・・は上台３の穴３０の内周４面にそれぞれ内接する大きさである。
【００５８】
この実施例では、下向き突出部を嵌合させる相手側の穴は、分割石板を四角箱型に組付けたときに形成される空所（例えば中台２の穴２０、上台３の穴３０）をそのまま利用できるので、各分割石板の下面に下向き突出部を形成するだけでよい。又、この下向き突出部は、分割石板の下面の一部を直線状に切削加工するだけでよいので、該下向き突出部の加工が簡単に行える。尚、一体物の墓用石材のように下向き突出部の４面を切削加工する場合には、加工方向を変更する必要があって、その下向き突出部の加工が面倒となる。
【００５９】
そして、中台２、上台３、竿石４は、図４に示すように、それらの下面の各下向き突出部２７，３７，４７（それぞれ正方形に合体している）を下部側に位置する墓用石材（下台１、中台２、上台３）の各穴１０，２０，３０に嵌合させた状態で、順次積み重ねて墓を構築する。このように、上下に積み重ねた各墓用石材において、下向き突出部と穴とを嵌合させると、上下の各墓用石材が水平方向に位置ずれすることがなく、地震対策に有効である。尚、中台２の下面は下台１上に、上台３の下面は中台２上に、竿石４の下面は上台３上に、それぞれ接着剤（モルタルが一般的である）で接着させると積み重ね状態で一層安定させることができる。
【００６０】
この実施例のように、４つの分割石板を合体させた墓用石材（中台２、上台３、竿石４）では、外形がそれぞれ必要とする所望の大きさとなっているが、各分割石板の１個当たりの体積が小さいので、小さい原石からでも分割石板を切り取ることができる。尚、このように小さい原石は、多量に産出でき、且つ安価である。又、この墓用石材（２〜４）では、内部が中空であるので、全体の材料を少なくできるとともに、軽量になるので運搬時・施工時等の作業がし易くなる。
【００６１】
さらに、この実施例の中台２、上台３、竿石４のように、各分割石板の傾斜面同士を接着させると、その各接着部（継ぎ目）２６，３６，４６は四角箱型に組付けられた石材外周部の各角部に現れる。このように、石材外周部の角部に現出する継ぎ目（２６，３６，４６）は、外観上ほとんど識別できないほど目立たない。又、この各墓用石材（２〜４）では、外周４面はそれぞれ継ぎ目のない１枚ものになっており、石目模様が各面の全面に亘って連続している。従って、４つの分割石板を使用した墓用石材（２〜４）であっても、一体物の石材であるかのように見え、高級感のある石材となる。
【００６２】
又、この実施例の墓用石材（２〜４）では、各分割石板の接着面となる各傾斜面の表面平均粗さを０.３〜０.８μｍに設定しているが、このように、各分割石板の各傾斜面（接着面）の表面平均粗さを０.３〜０.８μｍ程度の細かい粗さに設定すると、各側の傾斜面を接着させたときの接着剤結着機能を確保しつつ、両接着面間の隙間を小さく（薄く）できる。従って、各分割石板の継ぎ目（２６，３６，４６）が一層見えにくくなる（一層、一体物の石材のように見える）。
【００６３】
又、中台２を分割石板２１〜２４で合体形成したものでは、該中台２の内部に大きな空所２０ができるので、その空所を納骨室９に利用することができる。さらに、この実施例のように、中台２、上台３、竿石４をそれぞれ分割石板で合体形成したものでは、それらの墓用石材の内部に連続する空所２０，３０，４０が形成されるので、納骨室９内の湿気を分散できる（いわゆる墓石に水が上がるという現象を緩和できる）。
【００６４】
尚、この実施例では、分割石板を一体化させた墓用石材として、中台２と上台３と竿石４に適用しているが、他の実施例では、それらの何れか１つだけ（例えば中台２だけ）、あるいは２つ（例えば中台２と上台３）に分割石板による一体化構造を採用することができる。又、さらに他の実施例では、中台２、上台３、竿石４の各下面に形成している下向き突出部（２７，３７，４７）を省略することができる。
【図面の簡単な説明】
【００６５】
【図１】本願実施例の墓用石材を使用した墓の全体斜視図である。
【図２】図１の墓の分解斜視図である。
【図３】図２の中台部分の分割石板一体化前の分解斜視図である。
【図４】図１のIV−IV断面図である。
【図５】図３の各分割石板の一体化方法の説明図である。
【図６】従来の一般的な墓の全体斜視図である。
【図７】分割石板を一体化させた従来の墓用石材を使用した墓の全体斜視図である。
【図８】図７の墓の分解斜視図である。
【図９】図８の中台部分の分割石板一体化前の分解斜視図である。
【符号の説明】
【００６６】
１は下台、２は中台、３は上台、４は竿石、２１〜２４は中台の分割石板、２１ａ〜２４ａ及び２１ｂ〜２４ｂはそれぞれ中台の傾斜面、３１〜３４は上台の分割石板、４１〜４４は竿石の分割石板である。
【図１】
2006342624.tif 000003
【図２】
2006342624.tif 000004
【図３】
2006342624.tif 000005
【図４】
2006342624.tif 000006
【図５】
2006342624.tif 000007
【図６】
2006342624.tif 000008
【図７】
2006342624.tif 000009
【図８】
2006342624.tif 000010
【図９】
2006342624.tif 000011